(57)【要約】 【課題】ユーザの手を煩わせることなく、ドライブレコーダ２の撮影画像を有効利用する。【解決手段】画像提供システム１は、車両に搭載され、車両の周辺の画像を撮影するドライブレコーダと、複数の地点に設けられ、各地点の近くを通過した車両のナンバープレートを撮影する複数の撮影装置と、複数の撮影装置がそれぞれ異なる時間帯に同一のナンバープレートを撮影した時刻前後のドライブレコーダの撮影画像から、少なくとも一部の静止画を時系列に抽出する画像抽出部と、画像抽出部で抽出された時系列の静止画を含むフォトブックを編集するフォトブック編集部と、を備える。【選択図】図１
2020135553.tif 000002
【特許請求の範囲】
【請求項１】
車両に搭載され、車両の周辺の画像を撮影するドライブレコーダと、
複数の地点に設けられ、各地点の近くを通過した車両のナンバープレートを撮影する複数の撮影装置と、
前記複数の撮影装置がそれぞれ異なる時間帯に同一のナンバープレートを撮影した時刻前後の前記ドライブレコーダの撮影画像から、少なくとも一部の静止画を時系列に抽出する画像抽出部と、
前記画像抽出部で抽出された時系列の静止画を含むフォトブックを編集するフォトブック編集部と、を備える、画像提供システム。
【請求項２】
前記画像抽出部は、前記複数の撮影装置が前記同一のナンバープレートを撮影した時刻とは異なる時刻での前記ドライブレコーダの撮影画像に基づいて、一部の静止画を抽出する、請求項１に記載の画像提供システム。
【請求項３】
車両に搭載又はユーザにより所有され、前記ドライブレコーダとは別個に車両の周辺の画像を撮影する撮影部を備え、
前記画像抽出部は、前記撮影装置及び前記撮影部により撮影された静止画を時系列に抽出する、請求項１又は２に記載の画像提供システム。
【請求項４】
前記画像抽出部は、車両の出発地に関連する静止画を前記フォトブックの表紙用に抽出し、車両の目的地に関連する静止画を前記フォトブックの裏表紙用に抽出し、前記フォトブックの表紙及び裏表紙の間では、前記出発地から前記目的地までの間の地域に関連する静止画を時系列に抽出する、請求項１乃至３のいずれか一項に記載の画像提供システム。
【請求項５】
行政区域の境界地点を検出する位置検出部を備え、
前記画像抽出部は、前記位置検出部で検出された行政区域の境界地点に関連する静止画を前記フォトブックの中表紙用に抽出し、前記フォトブックの表紙及び中表紙の間では、車両の出発地から前記境界地点までの間の地域に関連する静止画を時系列に抽出し、前記フォトブックの中表紙及び裏表紙の間では、前記境界地点から車両の目的地までの間の静止画を時系列に抽出する、請求項１乃至４のいずれか一項に記載の画像提供システム。
【請求項６】
前記複数の撮影装置にてナンバープレートが撮影された車両のユーザが所有する通信機器の画面に、前記ドライブレコーダの撮影画像に基づく静止画を含む複数の静止画を時系列に表示させる画像表示制御部を備え、
前記画像抽出部は、前記通信機器の画面に表示された前記複数の静止画からユーザが選択した静止画に基づいて、複数の静止画を時系列に抽出する、請求項１乃至５のいずれか一項に記載の画像提供システム。
【請求項７】
前記フォトブック編集部は、複数の静止画を１頁内に合成した合成画像を含む前記フォトブックを編集する、請求項１乃至６のいずれか一項に記載の画像提供システム。
【請求項８】
前記撮影装置の撮影画像から前記ナンバープレートの文字情報を抽出し、抽出されたナンバープレートの文字情報と、前記撮影装置の識別情報と、前記撮影装置による撮影日時情報とを関連づける第１制御装置と、
前記第１制御装置が関連づけた前記ナンバープレートの文字情報と、前記撮影装置の識別情報と、前記撮影日時情報とを取得するとともに、取得した各情報と、前記ナンバープレートを撮影した前記撮影装置の設置場所情報とを関連づけて管理する第２制御装置と、
前記第２制御装置が関連づけた各情報を取得するとともに、取得した各情報と、撮影された前記ナンバープレートの車両のユーザ情報と、前記車両に搭載された前記ドライブレコーダの識別情報とを関連づけて管理するとともに、前記第２制御装置が関連づけた各情報と、前記撮影装置が前記ナンバープレートを撮影した日時前後の前記ドライブレコーダの撮影画像とを関連づけて管理する第３制御装置と、
前記撮影装置により撮影された前記ナンバープレートの車両のユーザが、前記ナンバープレートの文字情報を含む所定の認証情報を入力する入力装置と、
前記入力装置で入力された前記認証情報に基づいて認証処理を行う認証部と、を備え、
前記フォトブック編集部は、前記認証部による前記認証処理に成功した場合に、前記フォトブックを編集する、請求項１乃至７のいずれか一項に記載の画像提供システム。
【請求項９】
前記ドライブレコーダの撮影画像、前記ドライブレコーダの識別情報、及び前記ドライブレコーダを搭載した車両のユーザ情報を、インターネットを介して取得する第４制御装置を備え、
前記第３制御装置は、前記第４制御装置から前記ドライブレコーダの撮影画像、前記ドライブレコーダの識別情報、及び前記ドライブレコーダを搭載した車両のユーザ情報を関連づけて取得する、請求項８に記載の画像提供システム。
【請求項１０】
前記第３制御装置は、
前記ドライブレコーダの識別情報と、前記ナンバープレートの文字情報と、車両のユーザのＥＴＣ（Electronic Toll Collection System）カード情報と、車両のユーザ情報と、を関連付けて管理する第５制御装置と、
前記ドライブレコーダの識別情報と、前記ナンバープレートの文字情報と、前記ドライブレコーダの撮影画像とを関連づけて管理する第６制御装置と、を有し、
前記画像抽出部は、前記認証処理に成功したユーザの車両の前記ナンバープレートに合致する前記ドライブレコーダの撮影画像を前記第６制御装置から取得して、取得した撮影画像に含まれる少なくとも一部の静止画を時系列に抽出する、請求項８又は９に記載の画像提供システム。
【請求項１１】
前記フォトブック編集部にて編集されたフォトブックのデータを前記第３制御装置から取得して印刷するプリント装置を備える、請求項８乃至１０のいずれか一項に記載の画像提供システム。
【請求項１２】
車両に搭載されたドライブレコーダにて、車両の周辺の画像を撮影する工程と、
複数の地点に設けられる撮影装置にて、各地点の近くを通過した車両のナンバープレートを撮影する工程と、
前記複数の撮影装置がそれぞれ異なる時間帯に同一のナンバープレートを撮影した時刻前後の前記ドライブレコーダの撮影画像から、少なくとも一部の静止画を時系列に抽出する工程と、
前記抽出された時系列の静止画を含むフォトブックを編集する工程と、を備える、画像提供方法。
【発明の詳細な説明】
【技術分野】
【０００１】
本開示は、ドライブレコーダで撮影した画像を提供する画像提供システム及び画像提供方法に関する。
【背景技術】
【０００２】
車両の周辺の画像を撮影するドライブレコーダが普及している。ドライブレコーダで撮影した画像は、事故や何らかのトラブルに巻き込まれた場合に再生して検証を行う等の目的で利用されることが多い。最近のドライブレコーダは、高画質の画像を自動で撮影できることから、ドライブレコーダで撮影した画像を鑑賞用として利用できるようにした提案がなされている（特許文献１）。
【先行技術文献】
【特許文献】
【０００３】
【特許文献１】特開２００７−９８８６５号公報
【発明の概要】
【発明が解決しようとする課題】
【０００４】
しかしながら、特許文献１では、鑑賞用の画像を撮影する場所を事前にユーザが指定しなければならず、操作が面倒である。また、ユーザが地図等で撮影場所を事前に指定したとしても、実際に現地に出向いてみないと、見栄えのする画像が撮影できる場所かどうかはわからないため、結局、現地でユーザが撮影場所を指定しなければならず、ユーザの手間がかかるのが実情である。さらに、ドライブレコーダは、車両が走行している間は、継続して撮影を行うため、撮影済の画像の中から、所望の画像を抽出するには、膨大な時間がかかってしまう。
【０００５】
車両の運転手は、景色のよい場所を走行しても、運転に集中しなければならないため、景色を存分に楽しむことができない。その一方で、ドライブレコーダは、車両の走行中は継続して車両の周辺の画像を撮影し続けており、その画像を事後的に鑑賞することができれば、運転手にとって好都合である。
【０００６】
本開示は、ユーザの手を煩わせることなく、ドライブレコーダの撮影画像を鑑賞用として有効利用できる画像提供システム及び画像提供方法を提供するものである。
【課題を解決するための手段】
【０００７】
上記の課題を解決するために、本開示の一態様では、車両に搭載され、車両の周辺の画像を撮影するドライブレコーダと、
複数の地点に設けられ、各地点の近くを通過した車両のナンバープレートを撮影する複数の撮影装置と、
前記複数の撮影装置がそれぞれ異なる時間帯に同一のナンバープレートを撮影した時刻前後の前記ドライブレコーダの撮影画像から、少なくとも一部の静止画を時系列に抽出する画像抽出部と、
前記画像抽出部で抽出された時系列の静止画を含むフォトブックを編集するフォトブック編集部と、を備える、画像提供システムが提供される。
【０００８】
前記画像抽出部は、前記複数の撮影装置が前記同一のナンバープレートを撮影した時刻とは異なる時刻での前記ドライブレコーダの撮影画像に基づいて、一部の静止画を抽出してもよい。
【０００９】
車両に搭載又はユーザにより所有され、前記ドライブレコーダとは別個に車両の周辺の画像を撮影する撮影部を備え、
前記画像抽出部は、前記撮影装置及び前記撮影部により撮影された静止画を時系列に抽出してもよい。
【００１０】
前記画像抽出部は、車両の出発地に関連する静止画を前記フォトブックの表紙用に抽出し、車両の目的地に関連する静止画を前記フォトブックの裏表紙用に抽出し、前記フォトブックの表紙及び裏表紙の間では、前記出発地から前記目的地までの間の地域に関連する静止画を時系列に抽出してもよい。
【００１１】
行政区域の境界地点を検出する位置検出部を備え、
前記画像抽出部は、前記位置検出部で検出された行政区域の境界地点に関連する静止画を前記フォトブックの中表紙用に抽出し、前記フォトブックの表紙及び中表紙の間では、前記出発地から前記境界地点までの間の地域に関連する静止画を時系列に抽出し、前記フォトブックの中表紙及び裏表紙の間では、前記境界地点から前記目的地までの間の静止画を時系列に抽出してもよい。
【００１２】
前記複数の撮影装置にてナンバープレートが撮影された車両のユーザが所有する通信機器の画面に、前記ドライブレコーダの撮影画像に基づく静止画を含む複数の静止画を時系列に表示させる画像表示制御部を備え、
前記画像抽出部は、前記通信機器の画面に表示された前記複数の静止画からユーザが選択した静止画に基づいて、複数の静止画を時系列に抽出してもよい。
【００１３】
前記フォトブック編集部は、複数の静止画を１頁内に合成した合成画像を含む前記フォトブックを編集してもよい。
【００１４】
前記撮影装置の撮影画像から前記ナンバープレートの文字情報を抽出し、抽出されたナンバープレートの文字情報と、前記撮影装置の識別情報と、前記撮影装置による撮影日時情報とを関連づける第１制御装置と、
前記第１制御装置が関連づけた前記ナンバープレートの文字情報と、前記撮影装置の識別情報と、前記撮影日時情報とを取得するとともに、取得した各情報と、前記ナンバープレートを撮影した前記撮影装置の設置場所情報とを関連づけて管理する第２制御装置と、
前記第２制御装置が関連づけた各情報を取得するとともに、取得した各情報と、撮影された前記ナンバープレートの車両のユーザ情報と、前記車両に搭載された前記ドライブレコーダの識別情報とを関連づけて管理するとともに、前記第２制御装置が関連づけた各情報と、前記撮影装置が前記ナンバープレートを撮影した日時前後の前記ドライブレコーダの撮影画像とを関連づけて管理する第３制御装置と、
前記撮影装置により撮影された前記ナンバープレートの車両のユーザが、前記ナンバープレートの文字情報を含む所定の認証情報を入力する入力装置と、
前記入力装置で入力された前記認証情報に基づいて認証処理を行う認証部と、を備え、
前記フォトブック編集部は、前記認証部による前記認証処理に成功した場合に、前記フォトブックを編集してもよい。
【００１５】
前記ドライブレコーダの撮影画像、前記ドライブレコーダの識別情報、及び前記ドライブレコーダを搭載した車両のユーザ情報を、インターネットを介して取得する第４制御装置を備え、
前記第３制御装置は、前記第４制御装置から前記ドライブレコーダの撮影画像、前記ドライブレコーダの識別情報、及び前記ドライブレコーダを搭載した車両のユーザ情報を関連づけて取得してもよい。
【００１６】
前記第３制御装置は、
前記ドライブレコーダの識別情報と、前記ナンバープレートの文字情報と、車両のユーザのＥＴＣ（Electronic Toll Collection System）カード情報と、車両のユーザ情報と、を関連付けて管理する第５制御装置と、
前記ドライブレコーダの識別情報と、前記ナンバープレートの文字情報と、前記ドライブレコーダの撮影画像とを関連づけて管理する第６制御装置と、を有し、
前記画像抽出部は、前記認証処理に成功したユーザの車両の前記ナンバープレートに合致する前記ドライブレコーダの撮影画像を前記第６制御装置から取得して、取得した撮影画像に含まれる少なくとも一部の静止画を時系列に抽出してもよい。
【００１７】
前記フォトブック編集部にて編集されたフォトブックのデータを前記第３制御装置から取得して印刷するプリント装置を備えてもよい。
【００１８】
本発明の他の一態様では、車両に搭載されたドライブレコーダにて、車両の周辺の画像を撮影する工程と、
複数の地点に設けられる撮影装置にて、各地点の近くを通過した車両のナンバープレートを撮影する工程と、
前記複数の撮影装置がそれぞれ異なる時間帯に同一のナンバープレートを撮影した時刻前後の前記ドライブレコーダの撮影画像から、少なくとも一部の静止画を時系列に抽出する工程と、
前記抽出された時系列の静止画を含むフォトブックを編集する工程と、を備える画像提供方法が提供される。
【発明の効果】
【００１９】
本開示によれば、ユーザの手を煩わせることなく、ドライブレコーダの撮影画像を鑑賞用として有効利用できる。
【図面の簡単な説明】
【００２０】
【図１】本開示の第１の実施形態による画像提供システムの概略構成を示すブロック図。
【図２】フォトブックの編集を模式的に示す図。
【図３】本開示の第２の実施形態による画像提供システムの概略構成を示すブロック図。
【図４】図３の画像提供システムの処理手順の一例を示すフローチャート。
【図５】スマートフォン等の表示パネルに表示されるユーザ登録画面の一例を示す図。
【図６】ナンバープレート認証画面の一例を示す図。
【図７】フォトブックを作成するか、撮影画像を閲覧するか、撮影画像を印刷するかを選択する画面の表示例を示す図。
【図８】出発地、目的地、撮影日時を入力する欄を有する写真閲覧画面の表示例を示す図。
【図９】出発地から目的地に至るまでの経路上の撮影装置の設置場所を黒丸で表した例を示す図。
【図１０Ａ】東京と神奈川県の境界地点を中表紙として、東京タワーの夜景と、ランドマークタワーの昼間の静止画とを合成した画像を掲載する例を示す図。
【図１０Ｂ】撮影装置が設置されている高速のインターチェンジ付近の画像を掲載する例を示す図。
【図１１】画像のアップロード中を示す画面表示例を示す図。
【図１２Ａ】ユーザの通信機器に表示されるレイアウト編集画面の一例を示す図。
【図１２Ｂ】ユーザの通信機器に表示されるレイアウト編集画面の一例を示す図。
【図１２Ｃ】レイアウト編集中の画面表示例を示す図。
【図１２Ｄ】図１２Ｃに続く画面表示例を示す図。
【図１３Ａ】写真購入画面を示す図。
【図１３Ｂ】写真購入画面の続きを示す図。
【発明を実施するための形態】
【００２１】
以下、図面を参照して実施の形態について説明する。なお、本件明細書と添付図面においては、理解のしやすさと図示の便宜上、一部の構成部分を省略、変更または簡易化して説明および図示しているが、同様の機能を期待し得る程度の技術内容も、本実施の形態に含めて解釈することとする。また、本件明細書に添付する図面においては、図示と理解のしやすさの便宜上、適宜縮尺および縦横の寸法比等を、実物から変更し誇張してある。
【００２２】
（第１の実施形態）
図１は本開示の第１の実施形態による画像提供システムの概略構成を示すブロック図である。図１の画像提供システム１は、ドライブレコーダ２と、複数の撮影装置３と、画像抽出部１５と、フォトブック編集部１６とを備えている。
【００２３】
ドライブレコーダ２は、車両に搭載されており、指定された範囲の動画を継続して撮影する。ドライブレコーダ２が撮影する動画（以下、撮影画像と呼ぶ）の画角と撮影方向は、ユーザが任意に設定することができる。ユーザは、ドライブレコーダ２の撮影画像を鑑賞用として利用したい場合には、車外の風景等が撮影できるように、予め画角と撮影方向を調整しておく必要がある。あるいは、全天すなわち３６０度の画角で撮影するドライブレコーダ２を用いる場合は、画角と撮影方向を指定する必要はない。
【００２４】
ドライブレコーダ２は、撮影画像を撮影するカメラと、撮影画像を記録する記録装置を内蔵している。記録装置の記録容量が満杯になったら、日付の古い撮影画像を自動的に消去して新規の撮影画像を記録するようにしてもよい。あるいは、記録装置の記録容量が満杯になる前に、予備の記録装置や後述する画像管理サーバ７等に撮影画像を移動してもよい。
【００２５】
ドライブレコーダ２は、ワイヤレスでインターネットにアクセスするための無線通信機能を備えている。後述するように、ドライブレコーダ２は、インターネットを介して撮影画像をサーバ等にアップロードすることができる。無線通信機能は、３Ｇ、４Ｇ、５Ｇ等のセルラー通信、無線ＬＡＮ（Local Area Network）、Bluetooth（登録商標）、赤外線、電波、電磁波等を用いたＮＦＣ（Near Field Communication)、衛星通信など、種々の無線通信方式で無線通信を行う機能である。
【００２６】
ドライブレコーダ２は、車両が走行している間、継続して動画を撮影し続けることができる。また、ドライブレコーダ２は、車両が停止した場合や車両のエンジンが切れた場合に、自動的に撮影を中止してもよい。あるいは、ドライブレコーダ２は、ユーザから指示があった期間だけ、動画を撮影してもよい。
【００２７】
複数の撮影装置３は、複数の地点に設けられ、各地点の近くを通過した車両のナンバープレートを撮影する。各撮影装置３を設置する地点は、例えば、観光地等の撮影スポットであり、景色のよい場所とか、著名な観光地、話題になっている場所などである。
【００２８】
複数の撮影装置３は、所定時間ごとに、予め定めた方向を予め定めた画角で撮影する動作を繰り返す定点カメラである。あるいは、道路を走行する車両を検知するセンサを設けて、このセンサが車両を検知したときに、対応する撮影装置３は撮影を行うようにしてもよい。
【００２９】
本実施形態は、景色がよい場所等に予め撮影装置３を設置しておき、この撮影装置３の近くを車両が通過したときのドライブレコーダ２の撮影画像を抽出することで、ドライブレコーダ２が撮影した膨大な量の撮影画像から、見栄えのよい静止画を簡易かつ的確に取得するものである。
【００３０】
画像抽出部１５は、複数の撮影装置３がそれぞれ異なる時間帯に同一のナンバープレートを撮影した時刻前後のドライブレコーダ２の撮影画像から、少なくとも一部の静止画を時系列に抽出する。ドライブレコーダ２の撮影画像は動画であるが、動画は複数コマからなる静止画で構成されているため、画像抽出部１５は、撮影装置３がナンバープレートを撮影した前後の例えば数秒間における複数枚の静止画を抽出する。動画から複数の静止画を抽出する際には、ガンマ補正やホワイトバランス調整、ノイズ低減処理等の種々の画像処理を行ってもよい。
【００３１】
後述するように、撮影装置３が撮影した車両のナンバープレート画像は、ＯＣＲ（Optical Character Recognition）解析によって、ナンバープレートの文字情報が抽出されて、どのナンバープレートの車両がいつ撮影装置３の近くを通過したかが特定される。そして、その車両のユーザ情報とドライブレコーダ２の識別情報（ドラレコＩＤ）とを管理するサーバにアクセスすることで、その車両のドライブレコーダ２から、撮影装置３の近くを通過した時点での撮影画像を取得できる。画像抽出部１５は、このようにして取得した撮影画像から、少なくとも一部の静止画を時系列に抽出する。
【００３２】
画像抽出部１５は、複数の撮影装置３が同一のナンバープレートを撮影した時刻とは異なる時刻でのドライブレコーダ２の撮影画像に基づいて、一部の静止画を抽出してもよい。すなわち、画像抽出部１５が抽出する静止画は、必ずしも撮影装置３がナンバープレートを撮影した場所に関連したものである必要はなく、車両が撮影装置３の近くを通り過ぎて、別の場所でその車両のドライブレコーダ２が撮影したものであってもよい。
【００３３】
フォトブック編集部１６は、画像抽出部１５で抽出された時系列の静止画を含むフォトブックを編集する。フォトブックは、例えば、画像抽出部１５で抽出された時系列の静止画を印刷して製本したものでもよいし、ＰＣ（Personal Computer）やスマートフォン等の画面に表示される所定の画像形式のファイルでフォトブックを作成してもよい。このように、フォトブックは、必ずしも静止画を印刷して綴じ込んだものに限定されず、デジタル書籍でもよい。
【００３４】
画像抽出部１５が抽出する静止画は、必ずしもドライブレコーダ２の撮影画像だけに限定されない。例えば、車両に搭載されたドライブレコーダ２以外のカメラや、車両のユーザが所有するスマートフォン等の通信機器１９に内蔵されたカメラ（以下では、これらカメラを総称して撮影部１９ａと呼ぶ）にて、車両の周辺を撮影した静止画も含めて、画像抽出部１５は静止画を抽出してもよい。
【００３５】
画像抽出部１５は、車両の出発地に関連する静止画をフォトブックの表紙用に抽出し、車両の目的地に関連する静止画をフォトブックの裏表紙用に抽出し、フォトブックの表紙及び裏表紙の間では、出発地から目的地までの間の地域に関連する静止画を時系列に抽出してもよい。
【００３６】
図１の画像提供システム１は、位置検出部１７を備えていてもよい。位置検出部１７は、行政区域の境界地点を検出する。行政区域とは、例えば都道府県を意味する。あるいは、行政区域は、市町村であってもよい。位置検出部１７は、車両に搭載されたＧＰＳ（Global Positioning System）センサを利用して行政区域の境界地点を検出してもよい。あるいは、位置検出部１７は、道路脇に設置されたビーコンからの電波を受信する受信器を利用して行政区域の境界地点を検出してもよい。
【００３７】
図１の画像提供システム１が位置検出部１７を備えている場合、画像抽出部１５は、位置検出部１７で検出された行政区域の境界地点に関連する静止画をフォトブックの中表紙用に抽出し、フォトブックの表紙及び中表紙の間では、出発地から境界地点までの間の地域に関連する静止画を時系列に抽出し、フォトブックの中表紙及び裏表紙の間では、境界地点から目的地までの間の静止画を時系列に抽出してもよい。
【００３８】
なお、行政区域の境界地点に撮影装置３が設置されている場合には、位置検出部１７ではなく、撮影装置３が撮影したナンバープレート画像をＯＣＲ解析した結果に基づいて、特定のナンバープレートの車両が行政区域の境界地点を通過したと判断してもよい。
【００３９】
図２はフォトブックの編集を模式的に示す図である。図２は、東京が出発地で、富士山が目的地の例を示している。フォトブックの表紙には、東京の名所（例えば、東京タワー）の静止画が掲載される。中表紙には、撮影装置３が設置された地点付近の静止画（例えば、海老名インターチェンジ付近の静止画）が掲載される。表紙から中表紙までの間のページには、出発地から海老名インターチェンジに至るまでの車両走行中に、ドライブレコーダ２又は撮影部で撮影された静止画が掲載される。裏表紙には、目的地付近の名所（例えば、富士山）の静止画が掲載される。中表紙から裏表紙までの間のページには、海老名インターチェンジから富士山に至るまでの車両走行中に、ドライブレコーダ２又は撮影部で撮影された静止画が掲載される。なお、スマートフォンの内蔵カメラ等の撮影部で撮影された静止画には、Ｅｘｉｆ（Exchangeable image file format）情報が付属しており、Ｅｘｉｆ情報に撮影日時情報やＧＰＳセンサで検知した撮影場所情報が含まれていれば、いつどの場所で撮影されたかを特定でき、画像抽出部１５は、撮影部で撮影された静止画も含めて、時系列順に静止画を抽出できる。
【００４０】
中表紙は、必ずしも一つだけとは限らない。出発地から目的地までの距離が離れている場合や、複数の都道府県をまたぐ場合等は、複数の中表紙を設けて、各中表紙を別々の章として、各中表紙で地域を分けて静止画を配置してもよい。
【００４１】
図１の画像提供システム１は、画像表示制御部１８を備えていてもよい。画像表示制御部１８は、複数の撮影装置３にてナンバープレートが撮影された車両のユーザが所有するスマートフォン等の通信機器１９の画面に、ドライブレコーダ２の撮影画像に基づく静止画を含む複数の静止画を時系列に表示させる。
【００４２】
ユーザは、スマートフォン等の通信機器１９の表示パネルに、ドライブレコーダ２や通信機器１９のカメラで撮影した複数の静止画（サムネイル画像）を表示させ、その中から、任意の静止画を選択してもよい。画像抽出部１５は、ドライブレコーダ２の撮影画像から所望の静止画を自動抽出してもよいし、あるいは、通信機器１９の画面に表示された複数の静止画からユーザが選択した静止画を時系列に抽出してもよい。このように、フォトブックに掲載する静止画の少なくとも一部を、ユーザ自身で選択できるようにすることで、ユーザの意向を反映させたユーザ独自のフォトブックを編集できる。
【００４３】
また、フォトブックの各ページには、１枚の静止画のみを掲載してもよいし、複数枚の静止画を掲載してもよい。また、見栄えのよい静止画をより大きく掲載したり、複数枚の静止画を合成して１ページ内に掲載してもよい。静止画の掲載の仕方は任意であるが、車両の走行経路に合わせて、各静止画を時系列的に並べて配置するのが望ましい。
【００４４】
このように、第１の実施形態では、複数の地点に設けられる複数の撮影装置３にて撮影された同一のナンバープレートの車両に搭載されたドライブレコーダ２の撮影画像から、少なくとも一部の静止画を抽出して、時系列に並べたフォトブックを編集するため、ユーザの手を煩わすことなく、簡易かつ迅速にフォトブックを編集できる。本実施形態によれば、ドライブレコーダ２で撮影した膨大な撮影画像から、例えば見栄えのよい静止画を的確に抽出してフォトブックに掲載するため、ドライブの様子を事後的に振り返ることができ、絵日記としての利用方法も可能となる。
【００４５】
（第２の実施形態）
第２の実施形態は、第１の実施形態よりもシステム構成をより具体化したものである。
【００４６】
図３は本開示の第２の実施形態による画像提供システム１の概略構成を示すブロック図である。図３の画像提供システム１は、ドライブレコーダ２と、撮影装置３と、カメラ制御サーバ（第１制御装置）４と、ナンバープレート管理サーバ（第２制御装置）５と、データベースサーバ６（第３制御装置、第５制御装置）と、画像管理サーバ（第３制御装置、第６制御装置）７と、ウェブサーバ（第４制御装置）８と、プリントシステム（プリント装置）２０とを備えている。
【００４７】
各サーバ４〜８は、一つ以上のコンピュータを有する制御装置であり、具体的な構成は問わない。各サーバ４〜８は、データやファイルを格納する不図示の記録装置を有する。記録装置は、コンピュータに内蔵されていてもよいし、コンピュータに有線又は無線で接続されていてもよい。また、各サーバ４〜８のうち、少なくとも一部のサーバは、１箇所に集中して設けられていてもよいし、分散して設けられていてもよい。また、各サーバ４〜８のうち、少なくとも一部のサーバの機能は、コンピュータによって実行されるソフトウェアの形態で提供されてもよい。
【００４８】
撮影装置３が撮影した画像は、撮影日時情報と、撮影装置３の識別情報（カメラＩＤ）とともにカメラ制御サーバ４に送信される。カメラ制御サーバ４は、撮影装置３の撮影画像から、ＯＣＲ解析を行ってナンバープレートの文字情報を抽出する。１枚の撮影画像だけでは、正しく文字情報を抽出できないおそれがあるため、撮影装置３が撮影した複数枚の撮影画像に基づいて、ナンバープレートの文字情報を抽出してもよい。
【００４９】
カメラ制御サーバ４は、抽出されたナンバープレートの文字情報と、撮影日時情報と、撮影装置３の識別情報とを関連づけて、ナンバープレート管理サーバ５に送信する。
【００５０】
カメラ制御サーバ４には、複数の撮影装置３からの撮影画像、撮影日時情報、及び撮影装置３の識別情報が送られてくるが、カメラ制御サーバ４は、撮影装置３がどこに設置されているかを示す情報を管理していない。これは、カメラ制御サーバ４が不正にアクセスされたとしても、各撮影装置３から送信されてきた撮影画像がどの場所の撮影装置３で撮影されたものかを特定されないようにするためである。後述するように、カメラ制御サーバ４は、撮影装置３からの撮影画像を一時的に保持し、ナンバープレート管理サーバ５にナンバープレートの文字情報と、撮影日時情報と、撮影装置３の識別情報とを送信した後に撮影画像等を削除する。
【００５１】
ナンバープレート管理サーバ５は、カメラ制御サーバ４が関連づけたナンバープレートの文字情報と、撮影装置３の識別情報と、撮影日時情報とを取得するとともに、取得した各情報と、撮影装置３の設置場所情報とを関連づけて管理する。これらの情報に基づいて、ナンバープレート管理サーバ５は、どのナンバープレートの車がいつどこを通過したかを把握することができる。
【００５２】
カメラ制御サーバ４とナンバープレート管理サーバ５との通信は一方向通信であり、カメラ制御サーバ４からナンバープレート管理サーバ５には情報を送信できるが、逆方向の情報送信はできないようにしている。
【００５３】
ナンバープレート管理サーバ５は、カメラ制御サーバ４から送信された各情報を受信し、受信処理が完了したことをログに残すとともに、カメラ制御サーバ４に受信処理が完了したことを通知する。カメラ制御サーバ４は、受信処理が完了した旨の通知を受けると、正しく受信処理が行われたことを確認して、撮影装置３から送信された撮影画像等を削除する。また、カメラ制御サーバ４は、合わせてＯＣＲ解析したナンバープレートの文字情報と、撮影日時情報とを削除してもよい。このように、カメラ制御サーバ４は、一時的にしか、撮影画像等を持たないため、撮影画像を悪用されるおそれがなくなる。
【００５４】
データベースサーバ６と画像管理サーバ７は一つのサーバに統合することができる。これらサーバは、ナンバープレート管理サーバ５が関連づけた各情報を取得するとともに、取得した各情報と、撮影されたナンバープレートの車両のユーザ情報と、車両に搭載されたドライブレコーダ２の識別情報とを関連づけて管理するとともに、撮影装置３がナンバープレートを撮影した日時前後のドライブレコーダ２の撮影画像を取得して、ナンバープレート管理サーバ５が関連づけた各情報と、ドライブレコーダ２の撮影画像とを関連づけて管理する。
【００５５】
より詳細には、データベースサーバ６は、ナンバープレート管理サーバ５が関連付けた各情報に基づいて、撮影されたナンバープレートの車両に搭載されたドライブレコーダ２の識別情報と、当該ナンバープレートの文字情報と、当該車両のＥＴＣ（Electronic Toll Collection System）カード情報と、利用者氏名と、住所と、電話番号とを関連つけて管理する。
【００５６】
このように、データベースサーバ６は、車両のユーザの個人情報を管理するため、データベースサーバ６が管理する情報は、ナンバープレート管理サーバ５に送信されないようにするのが望ましい。
【００５７】
画像管理サーバ７は、ドライブレコーダ２の識別番号と、ナンバープレートの文字情報と、ドライブレコーダ２の撮影画像と、撮影場所情報と、撮影日時情報とを関連づけて管理する。ドライブレコーダ２の撮影画像は、後述するように、ウェブサーバ８を介して、ドライブレコーダ２から取得される画像である。ドライブレコーダ２の撮影画像が動画の場合、画像管理サーバ７は動画をそのまま保存してもよいし、動画に含まれるコマごとの静止画を保存してもよい。
【００５８】
画像管理サーバ７は、図１の画像抽出部１５、フォトブック編集部１６及び画像表示制御部１８の処理動作を行う。画像管理サーバ７は、それ自身では印刷処理は行わないため、フォトブックのレイアウト編集が完了すると、プリントシステム２０に印刷を指示する。
【００５９】
このように、データベースサーバ６は主に文字情報を管理するのに対し、画像管理サーバ７は主に画像情報を管理する。ただし、上述したように、データベースサーバ６と画像管理サーバ７を一つのサーバに統合して、文字情報と画像情報とを関連づけて、ナンバープレート管理サーバ５から送信された各情報とともに、一台のサーバで管理してもよい。
【００６０】
ウェブサーバ８は、車両に搭載されたドライブレコーダ２と、データベースサーバ６及び画像管理サーバ７と、ユーザが所有する通信機器１９との間で情報の送受を行うために設けられている。ドライブレコーダ２と通信機器１９は各車両のユーザが所有するのに対し、データベースサーバ６と画像管理サーバ７は不特定多数の個人情報を管理することから、データベースサーバ６と画像管理サーバ７が管理する各情報の漏洩を防止するために、ユーザが所有する通信機器１９及びドライブレコーダ２と、データベースサーバ６及び画像管理サーバ７との間にウェブサーバ８を設けている。
【００６１】
ウェブサーバ８は、ドライブレコーダ２の撮影画像をインターネット９を介して画像管理サーバ７にアップロードする処理と、画像管理サーバ７が管理する画像をインターネット９を介して、通信機器１９にダウンロード又は通信機器１９で閲覧する処理とを行う。また、ドライブレコーダ２がウェブ閲覧機能と入力機能を備える場合には、ドライブレコーダ２からインターネット９を介してウェブサーバ８にアクセスし、画像管理サーバ７からの画像をドライブレコーダ２にて閲覧できるようにしてもよい。
【００６２】
ウェブサーバ８は、ユーザが所有する通信機器１９によってアクセス可能である。ただし、セキュリティ強化のために、通信機器１９がインターネット９を介してウェブサーバ８へのアクセスを要求すると、ナンバープレート認証画面を表示して、認証処理を行うようにしている。ドライブレコーダ２のユーザが、ナンバープレート認証画面にて、自身の車両のナンバープレートの文字情報と、ＩＤと、パスワードを入力すると、ウェブサーバ８は、これらの入力情報に基づいて認証処理を行い、認証に成功した場合には、認証に成功したナンバープレートに対応する画像情報についてのみ、画像管理サーバ７からダウンロードや閲覧ができるようにする。なお、ドライブレコーダ２がウェブ閲覧機能と入力機能を備える場合には、ドライブレコーダ２の画面にナンバープレート認証画面を表示させて、ドライブレコーダ２で認証処理を行うようにしてもよい。
【００６３】
プリントシステム２０は、インターネット９やＶＰＮ（Virtual Private Network）等のネットワーク２１を介して画像管理サーバ７に接続されている。プリントシステム２０は、画像管理サーバ７からネットワーク２１を介して送信された画像を印刷する。本実施形態のプリントシステム２０は、画像管理サーバ７が生成したフォトブックを印刷して製本し、ユーザに発送する作業までを行う。
【００６４】
図４は図３の画像提供システム１の処理手順の一例を示すフローチャートである。このフローチャートは、車両が走行した経路の撮影画像がドライブレコーダ２又は画像管理サーバ７に保存されていることを前提としている。
【００６５】
なお、図４のフローチャートを行う前に、車両のユーザは、画像管理サーバ７とデータベースサーバ６に対してドライブレコーダ２のユーザ登録を行う必要がある。ユーザ登録は、例えばユーザが所持するスマートフォン等の通信機器にて、インターネット９上の特定のサイトに接続することで行うことができる。ユーザ登録を行うことで、ユーザは、自身が所有するドライブレコーダ２の撮影画像を画像管理サーバ７にアップロードしたり、アップロード済の撮影画像をユーザが所有する通信機器１９又はドライブレコーダ２でダウンロード又は閲覧することが可能になる。
【００６６】
図５はスマートフォン等の表示パネルに表示されるユーザ登録画面１０の一例を示す図である。図５のユーザ登録画面１０には、ユーザのナンバープレートの文字情報と、ドライブレコーダ２の識別情報（ドラレコＩＤ）と、パスワードと、ＥＴＣカード番号と、利用者の識別情報（利用者ＩＤ）と、利用者氏名と、住所と、電話番号とを入力する欄１０ａが設けられている。ユーザがユーザ登録画面１０内の各情報を入力すると、これらの情報はインターネット９とウェブサーバ８を介して、データベースサーバ６に登録される。また、ナンバープレートの文字情報と、ドライブレコーダ２の識別情報と、パスワードとは、画像管理サーバ７にも登録される。
【００６７】
ユーザ登録が完了すると、車両のユーザは、自身のスマートフォン等の通信機器１９にてインターネットにアクセスしてナンバープレート認証画面を表示させる（図４のステップＳ１）。
【００６８】
図６はナンバープレート認証画面１１の一例を示す図である。ナンバープレート認証画面１１には、ナンバープレートの文字情報と、ドライブレコーダ２のＩＤと、パスワードとを入力する欄が設けられている。ユーザがこれらの情報を入力して、認証ボタン１１ａを押すと、入力された各情報は、インターネット９を介して、ウェブサーバ８に入力されて、ウェブサーバ８はユーザが入力した認証情報に基づいて認証処理を行う（ステップＳ２）。ウェブサーバ８は、ナンバープレート認証画面１１の各入力欄に入力された認証情報が、ユーザ登録情報と一致する場合には、認証成功と判断する。
【００６９】
ウェブサーバ８による認証に失敗した場合には、再度ナンバープレート認証画面１１への各情報の入力を促す（ステップＳ３）。認証に成功した場合には、図７に示すように、フォトブックを作成するか、撮影画像を閲覧するか、撮影画像を印刷するかを選択する画面１２を表示させる（ステップＳ４）。この画面には、フォトブック作成を指示するボタン１２ａと、撮影画像閲覧を指示するボタン１２ｂと、撮影画像印刷を指示するボタン１２ｃとが表示されており、下記では、ユーザがフォトブック作成ボタン１２ａを選択した場合について説明する。
【００７０】
ユーザがフォトブックの作成を選択した場合には、図８に示すように、出発地、目的地、撮影日時を入力する欄を有する写真閲覧画面１３を表示させる（ステップＳ５）。
【００７１】
出発地付近の静止画を表紙にし、目的地付近の静止画を裏表紙にし、出発地から目的地に至るまでの経路中の特定の中継地付近の静止画を中表紙にする編集方針を決定する（ステップＳ６）。中表紙を１つにするか、複数にするかは、出発地から目的地までの距離と、出発地から目的地までの観光地の数等により決定してもよい。
【００７２】
中表紙にするべき中継地は、例えば、撮影装置３が設置されている地点に設定してもよい。撮影装置３は、観光地等の撮影スポットに設置されることを前提としているため、撮影装置３の設置場所を中継地にすれば、自動で静止画像を選択することができる。図９は出発地から目的地に至るまでの経路上の撮影装置３の設置場所を黒丸で表している。出発地と目的地を除く黒丸位置でのドライブレコーダ２の撮影画像に基づく静止画を中表紙に掲載してもよい。
【００７３】
あるいは、中表紙にするべき中継地は、行政区域の境界地点でもよい。例えば、都道府県の境界地点を中表紙にすることで、各都道府県ごとに、静止画を分類して配置することができる。より具体的には、中表紙には、隣接する２つの県を代表する２つの観光地等の静止画を１頁に合成して表示させてもよい。図１０Ａは、東京と神奈川県の境界地点を中表紙として、東京タワーの夜景と、ランドマークタワーの昼間の静止画とを合成した画像を掲載する例である。また、図１０Ｂは、撮影装置３が設置されている高速のインターチェンジ付近の画像を掲載する例である。
【００７４】
次に、表紙、中表紙、裏表紙に掲載するべき静止画と、表紙から中表紙までの間の静止画と、中表紙から裏表紙までの間の静止画を選択する（ステップＳ７）。図９の"Ｐｉｃｔ"は、選択された静止画の位置を示している。
【００７５】
表紙、中表紙、裏表紙に掲載するべき静止画は、自動で選択してもよいし、ユーザが手動で選択してもよい。自動で選択する場合は、撮影装置３の近くを車両が通過した時刻前後のドライブレコーダ２の撮影画像から静止画を抽出することが考えられる。撮影装置３は、観光地等の撮影スポットに設置されることが多いためである。あるいは、車両に搭載されたＧＰＳセンサにて車両の走行場所とドライブレコーダ２の撮影画像とを予め関連づけておけば、車両が撮影スポットに存在するときの撮影画像を特定できるため、撮影スポットでの撮影画像に基づく静止画を自動で抽出できる。
【００７６】
ユーザが静止画を手動で選択する場合、ユーザが所有するスマートフォン等の通信機器１９の表示パネルに、例えば図８のような写真閲覧画面１３を表示させて、ユーザに任意の静止画を選択させることが考えられる。
【００７７】
図８の写真閲覧画面１３には、ユーザの車両のナンバープレートの文字情報１３ａと、撮影場所の選択部１３ｂと、撮影日の選択部１３ｃと、任意に選択可能な複数のサムネイル画像１３ｄと、全選択ボタン１３ｅと、選択解除ボタン１３ｆと、検索ボタン１３ｇと、「選択した写真でフォトブック作成ボタン」１３ｈとが表示されている。ユーザは、撮影場所として、出発地、中継地、目的地を別々に選択することで、表紙、中表紙及び裏表紙に掲載するべき静止画を手動で選択できる。ユーザは、所望のサムネイル画像１３ｄにレ点を付けることで、そのサムネイル画像１３ｄに対応する静止画を選択することができる。
【００７８】
なお、図８の写真閲覧画面１３を表示する際に、ドライブレコーダ２の撮影画像がまだ画像管理サーバ７にアップロードされていない場合がありうる。この場合は、図１１の画面１４に示すように、ドライブレコーダ２から画像管理サーバ７への画像アップロードを指示するボタン１４ａが表示される。このボタンをユーザが選択すると、アップロードが完了するまでは、「アップロード中」というメッセージが表示される。この画面にてユーザが「写真閲覧」を選択すると、図８の写真閲覧画面１３が表示される。
【００７９】
次に、フォトブックのレイアウト編集を行う（ステップＳ８）。図１２Ａ及び図１２Ｂはユーザの通信機器１９に表示されるレイアウト編集画面２２の一例を示す図である。図８の写真閲覧画面１３で選択した静止画が、表紙、本文、裏表紙に分類して表示される。このレイアウト編集画面２２内で、ユーザは、静止画の削除や追加を行うことができる。本文の欄に表示された静止画のうち、一部の静止画を中表紙として選択することもできる。例えば、本文の欄に表示された任意の静止画を長押しすると、太枠２２ａが表示され、図１２Ｃのように、「中表紙にしますか？」という質問が表示され、「ＯＫ」を選択すると、中表紙が選択される。「キャンセル」を選択すると、中表紙の設定をやり直すことになる。
【００８０】
中表紙が決定されると、図１２Ｄに示すように、中表紙から次の中表紙までの静止画を、「自動で流し込みますか？」という質問が表示され、「ＯＫ」を選択すると、中表紙から次の中表紙までの静止画が自動で選択されて配置される。このとき、フォトブックのページ数や撮影日時、撮影場所などを考慮に入れて、バランスよく選択される。「キャンセル」を選択すると、中表紙から次の中表紙までの静止画をユーザが自動で選択することも可能となる。また、図１２Ａ及び図１２Ｂのプレビューボタン２２ｂを選択すると、その時点でのフォトブックのレイアウトを確認することができる。
【００８１】
フォトブックのレイアウト編集が完了すると、次に、購入処理を行う（ステップＳ９）。図１３Ａは、ユーザのスマートフォン等の通信機器１９の表示パネルに表示されるフォトブック購入画面である。この画面２３内には、各画像の印刷枚数が表示される他、決済方法の選択を行うためのラジオボタン２３ａ〜２３ｄが表示される。
【００８２】
例えば、ユーザがＥＴＣカードで決済のラジオボタン２３ａを選択すると、フォトブックの作成料金がＥＴＣ料金に加算される。また、ユーザがＥＴＣカード以外で支払いのラジオボタン２３ｂを選択すると、ユーザの個人情報等を入力する欄と、コンビニ決済を選択するラジオボタン２３ｃと、別のクレジットカードでの決済を選択するラジオボタン２３ｄとが表示される。
【００８３】
図１３Ａの画面内の次へボタン２３ｅを選択すると、図１３Ｂの画面２４が表示される。図１３Ｂの画面には、画像を印刷した印画紙の送付先情報を選択するラジオボタン２４ａ、２４ｂが設けられている。ユーザがラジオボタン２４ａを選択すると、データベースサーバ６が管理するユーザの自宅に印画紙が送付される。また、ユーザがラジオボタン２４ｂを選択すると、ユーザが入力した任意の送付先情報に印画紙が送付される。ユーザは、ラジオボタン２４ａ又は２４ｂの選択後に、確定ボタン２４ｃを選択することにより、写真購入処理が完了する。
【００８４】
このように、第２の実施形態では、ユーザが入力した出発地、目的地及び撮影日時に基づいて、フォトブックの表紙、中表紙及び裏表紙に掲載するべき静止画を自動選択又はユーザによる手動選択するとともに、表紙から中表紙までの間のページに掲載するべき静止画と、中表紙から裏表紙までの間のページに掲載するべき静止画を自動選択又はユーザによる手動選択する。これにより、簡易な処理手順で、ドライブレコーダ２の撮影画像からユーザ独自のフォトブックを作成できる。
【００８５】
上述した実施形態で説明した画像提供システム１の少なくとも一部は、ハードウェアで構成してもよいし、ソフトウェアで構成してもよい。ソフトウェアで構成する場合には、画像提供システム１の少なくとも一部の機能を実現するプログラムをフレキシブルディスクやＣＤ−ＲＯＭ等の撮影媒体に収納し、コンピュータに読み込ませて実行させてもよい。撮影媒体は、磁気ディスクや光ディスク等の着脱可能なものに限定されず、ハードディスク装置やメモリなどの固定型の撮影媒体でもよい。
【００８６】
また、画像提供システム１の少なくとも一部の機能を実現するプログラムを、インターネット９等の通信回線（無線通信も含む）を介して頒布してもよい。さらに、同プログラムを暗号化したり、変調をかけたり、圧縮した状態で、インターネット９等の有線回線や無線回線を介して、あるいは撮影媒体に収納して頒布してもよい。
【００８７】
本開示の態様は、上述した個々の実施形態に限定されるものではなく、当業者が想到しうる種々の変形も含むものであり、本開示の効果も上述した内容に限定されない。すなわち、特許請求の範囲に規定された内容およびその均等物から導き出される本開示の概念的な思想と趣旨を逸脱しない範囲で種々の追加、変更および部分的削除が可能である。
【符号の説明】
【００８８】
１  画像提供システム、２  ドライブレコーダ、３  撮影装置、４  カメラ制御サーバ（第１制御装置）、５  ナンバープレート管理サーバ（第２制御装置）、６  データベースサーバ（第５制御装置）、７  画像管理サーバ（第３制御装置、第６制御装置）、８  ウェブサーバ（第４制御装置）、９  インターネット、１１  ナンバープレート認証画面、１３  写真閲覧画面、１５  画像抽出部、１６  フォトブック編集部、１７  位置検出部、１８  画像表示制御部、１９  通信機器、１９ａ  撮影部、２０  プリントシステム（プリント装置）、２１  ネットワーク、２２  レイアウト編集画面
【図１】
2020135553.tif 000003
【図２】
2020135553.tif 000004
【図３】
2020135553.tif 000005
【図４】
2020135553.tif 000006
【図５】
2020135553.tif 000007
【図６】
2020135553.tif 000008
【図７】
2020135553.tif 000009
【図８】
2020135553.tif 000010
【図９】
2020135553.tif 000011
【図１０Ａ】
2020135553.tif 000012
【図１０Ｂ】
2020135553.tif 000013
【図１１】
2020135553.tif 000014
【図１２Ａ】
2020135553.tif 000015
【図１２Ｂ】
2020135553.tif 000016
【図１２Ｃ】
2020135553.tif 000017
【図１２Ｄ】
2020135553.tif 000018
【図１３Ａ】
2020135553.tif 000019
【図１３Ｂ】
2020135553.tif 000020